(57)【要約】【課題】歯面清掃中において歯面との当接部であるメラミンスポンジが脱落するリスクを大幅に低減することが可能であって、メラミンスポンジ部分の交換が容易な歯面清掃具用アタッチメントおよびこれを用いた歯面清掃具を提供すること。【解決手段】ハンドル２０に連結することによって歯面清掃具１０として用いられる歯面清掃具用アタッチメント３０であって、基部片３２Ａと、基部片３２Ａの先端部から互いに反対方向に延びる第１延設片３２Ｂと第２延設片３２Ｃを有するＴ字状をなす支持体３２と、支持体３２の外表面に沿って配設されたメラミンスポンジ４０の第１端部４０Ａおよび第２端部４０Ｂを支持体３２の基部片３２Ａの表裏面との間で挟み込んで固定する第１挟持体３４Ａおよび第２挟持体３４Ｂと、支持体３２の基端部に一体に形成された支持体側連結部３６と、を具備することを特徴とする。【選択図】図１
2019187527.tif 000002
【特許請求の範囲】
【請求項１】
ハンドルに連結することによって歯面清掃具として用いられる歯面清掃具用アタッチメントであって、
基部片と、前記基部片の第１端部から互いに反対方向に延びる第１延設片および第２延設片とを有しＴ字状をなす支持体と、
前記支持体の外面に沿って配設される軟質材製払拭片の両端部を、前記支持体の前記基部片の表裏面との間でそれぞれ挟み込んで固定する挟持体と、
前記支持体の前記基部片の第２端部の側に形成され、前記ハンドルに着脱可能に取り付けられた支持体側連結部と、
を具備することを特徴とする歯面清掃具用アタッチメント。
【請求項２】
前記挟持体は、前記基部片の幅寸法よりも幅広に形成された第１挟持体と第２挟持体とにより構成されていて、
前記第１挟持体は、前記基部片の幅方向における外側位置において起立する第１突条体と、前記第１突条体の起立位置に隣接して穿設された第１突条体挿入部と、を有し、
前記第２挟持体は、前記第１突条体挿入部に対向する位置に起立する第２突条体と、前記第１突条体の起立位置に対向する位置に穿設された第２突条体挿入部と、を有し、
前記第１挟持体と前記第２挟持体は、前記第１突条体を前記第２突条体挿入部に挿入させると共に、前記第２突条体を前記第１突条体挿入部に挿入させることにより前記支持体に取り付けられることを特徴とする請求項１記載の歯面清掃具用アタッチメント。
【請求項３】
前記第１挟持体と前記第２挟持体には、前記軟質材製払拭片との当接面に幅方向に延びる凸部が形成されていることを特徴とする請求項２記載の歯面清掃具用アタッチメント。
【請求項４】
前記支持体は、前記第１延設片の長さが前記第２延設片の長さよりも長いことを特徴とする請求項１〜３のうちのいずれか一項に記載の歯面清掃具用アタッチメント。
【請求項５】
前記第１延設片は、前記基部片に対して鈍角をなしていることを特徴とする請求項１〜４のうちのいずれか一項に記載の歯面清掃具用アタッチメント。
【請求項６】
前記支持体側連結部は、前記基部片に対して前記第２延設片の側に屈曲した状態に形成されていることを特徴とする請求項１〜５のうちのいずれか一項に記載の歯面清掃具用アタッチメント。
【請求項７】
前記軟質材製払拭片はメラミンスポンジであることを特徴とする請求項１〜６のうちのいずれか一項に記載の歯面清掃具用アタッチメント。
【請求項８】
請求項１〜７のうちのいずれか一項に記載の歯面清掃具用アタッチメントと、
前記歯面清掃具用アタッチメントに取り付けられた軟質材製払拭片と、
前記歯面清掃具用アタッチメントが着脱可能に連結されると共に、前記歯面清掃具用アタッチメントを振動させる駆動源を内蔵するハンドルと、
を有することを特徴とする歯面清掃具。
【発明の詳細な説明】
【技術分野】
【０００１】
本発明は歯面清掃具用アタッチメントおよびこれを用いた歯面清掃具に関する。
【背景技術】
【０００２】
歯面の清掃を行うための歯面清掃具のひとつに、歯面との当接部分が軟質材製払拭片により形成されているものがある。このような歯面清掃具は軟質材製払拭片の部分を交換可能にすることで、歯面清掃具を衛生的に使用することができる点において好都合である。このような軟質材製払拭片が交換可能な歯面清掃具としては、特許文献１（特開２０００−３００５８６号公報）や特許文献２（特開２０１０−２３３６５６号公報）に開示されている構成が知られている。
【先行技術文献】
【特許文献】
【０００３】
【特許文献１】特開２０００−３００５８６号公報
【特許文献２】特開２０１０−２３３６５６号公報
【発明の開示】
【発明が解決しようとする課題】
【０００４】
特許文献１に開示されている歯面清掃具は、軟質材製払拭片の部分がハンドルの先端部分に粘着シート等により接着されている構成であるため、歯面清掃中に軟質材製払拭片がハンドルから脱落してしまうおそれがある。また、特許文献２に開示されている歯面清掃具は、ハンドルに軟質材製払拭片を巻着により取り付けているため、ハンドルに対する軟質材製払拭片の部分の着脱が煩雑であるといった課題がある。
【課題を解決するための手段】
【０００５】
そこで本発明は、歯面清掃中において歯面との当接部である軟質材製払拭片が脱落するリスクを大幅に低減することが可能であって、軟質材製払拭片の部分の交換が容易な歯面清掃具用アタッチメントおよびこれを用いた歯面清掃具の提供を目的としている。
【０００６】
すなわち本発明は、ハンドルに連結することによって歯面清掃具として用いられる歯面清掃具用アタッチメントであって、基部片と、前記基部片の第１端部から互いに反対方向に延びる第１延設片および第２延設片とを有しＴ字状をなす支持体と、前記支持体の外面に沿って配設される軟質材製払拭片の両端部を、前記支持体の前記基部片の表裏面との間でそれぞれ挟み込んで固定する挟持体と、前記支持体の前記基部片の第２端部の側に形成され、前記ハンドルに着脱可能に取り付けられた支持体側連結部と、を具備することを特徴とする歯面清掃具用アタッチメントである。
【０００７】
これにより、歯面清掃中に歯面との当接部であるメラミンスポンジが脱落するリスクを大幅に低減することができると共に、軟質材製払拭片の部分の交換を容易に行うことが可能になる。
【０００８】
また、前記挟持体は、前記基部片の幅寸法よりも幅広に形成された第１挟持体と第２挟持体とにより構成されていて、前記第１挟持体は、前記基部片の幅方向における外側位置において起立する第１突条体と、前記第１突条体の起立位置に隣接して穿設された第１突条体挿入部と、を有し、前記第２挟持体は、前記第１突条体挿入部に対向する位置に起立する第２突条体と、前記第１突条体の起立位置に対向する位置に穿設された第２突条体挿入部と、を有し、前記第１挟持体と前記第２挟持体は、前記第１突条体を前記第２突条体挿入部に挿入させると共に、前記第２突条体を前記第１突条体挿入部に挿入させることにより前記支持体に取り付けられることが好ましい。
【０００９】
これにより、軟質材製払拭片を確実かつ簡単に挟持することができる。
【００１０】
また、前記第１挟持体と前記第２挟持体には、前記軟質材製払拭片との当接面に幅方向に延びる凸部が形成されていることが好ましい。
【００１１】
これにより、支持体に軟質材製払拭片を抜け止めした状態に装着することができる。
【００１２】
また、前記軟質材製払拭片はメラミンスポンジであることが好ましい。
【００１３】
これにより、軟質材製払拭片の手配が容易になる。
【００１４】
また、前記支持体は、前記第１延設片の長さが前記第２延設片の長さよりも長いことが好ましい。また、前記第１延設片は、前記基部片に対して鈍角をなしていることが好ましい。さらにまた、前記支持体側連結部は、前記基部片に対して前記第２延設片の側に屈曲した状態に形成されていることが好ましい。
【００１５】
これらにより、上顎側の前歯の裏面側等を清掃する際において第１延設片の軟質材製払拭片を当接させ易くすることができると共に、歯面との接触面積を増やすことができ、効率的な歯面清掃を行うことができる。
【００１６】
また、上記のうちのいずれかに記載の歯面清掃具用アタッチメントと、前記歯面清掃具用アタッチメントに取り付けられた軟質材製払拭片と、前記歯面清掃具用アタッチメントが着脱可能に連結されると共に、前記歯面清掃具用アタッチメントを振動させる駆動源を内蔵するハンドルと、を有することを特徴とする歯面清掃具とすることもできる。
【００１７】
これにより、歯面清掃中に歯面との当接部である軟質材製払拭片が脱落するリスクや本物品の取扱者が感染症等に感染するリスクを大幅に低減することができると共に、軟質材製払拭片の交換を容易に行うことが可能な歯面清掃具を提供することができる。
【発明の効果】
【００１８】
本発明における歯面清掃具用アタッチメントおよびこれを用いた歯面清掃具の構成によれば、歯面清掃中に歯面との当接部である軟質材製払拭片が脱落するリスクを大幅に低減することができると共に、軟質材製払拭片の交換を容易に行うことが可能になる。
【図面の簡単な説明】
【００１９】
【図１】本実施形態における歯面清掃具の斜視図である。
【図２】本実施形態における歯面清掃具用アタッチメントへのメラミンスポンジの取り付け手順を示す分解斜視図である。
【図３】本実施形態における歯面清掃具用アタッチメントへのメラミンスポンジの取り付け手順を示す分解斜視図である。
【図４】本実施形態における歯面清掃具用アタッチメントへのメラミンスポンジの取り付け手順を示す分解斜視図である。
【図５】本実施形態における歯面清掃具用アタッチメントにメラミンスポンジを取り付けた状態を示す斜視図である。
【発明を実施するための形態】
【００２０】
本発明における歯面清掃具について実施形態に基づいて説明する。図１に示すように、本実施形態における歯面清掃具１０は、ハンドル２０とハンドル２０に着脱可能に連結された歯面清掃具用アタッチメント３０と、歯面清掃具用アタッチメント３０に取り付けられた軟質材製払拭片としてのメラミンスポンジ４０を具備している。
【００２１】
ハンドル２０は、先端部分に歯面清掃具用アタッチメント３０を連結するハンドル側連結部２２が形成されている。ハンドル側連結部２２は、ハンドル２０に内蔵された駆動源である振動モータＭの出力軸ＡＸの先端部分に合成樹脂により一体形成されている。振動モータＭはハンドル２０に内蔵されたバッテリＢにより駆動する。このようなハンドル２０としては、いわゆる電動歯ブラシのものを好適に用いることができる。
【００２２】
歯面清掃具用アタッチメント３０は、図２に示すように、メラミンスポンジ４０を取り付ける支持体３２と、支持体３２の外面に沿って支持体３２を取り囲むように配設されたメラミンスポンジ４０を支持体３２と共に挟持する挟持体３４と、支持体３２のハンドル２０の側の端部に一体に形成された支持体側連結部３６とを具備している。支持体側連結部３６はハンドル側連結部２２と着脱可能に連結される。
【００２３】
支持体３２は、板状の基部片３２Ａと基部片３２Ａの先端部（第１端部）から互いに反対方向に延びる第１延設片３２Ｂと第２延設片３２Ｃとを有するＴ字状をなしている。また、本実施形態における基部片３２Ａにはメラミンスポンジ４０との当接面にメラミンスポンジ４０を喰い込ませる凸部３２Ｄと、挟持体３４による基部片３２Ａおよびメラミンスポンジ４０を挟持する位置の位置ずれを防ぐためのストッパ３２Ｅが形成されている。ここでは凸部３２Ｄを単純な矩形状に形成しているが、凸部３２Ｄの先端部分に抜け止め部を有する形状（例えば矢印形状）に形成することもできる。
【００２４】
また、本実施形態における支持体３２における第１延設片３２Ｂの長さは第２延設片３２Ｃの長さよりも長く形成されている。また、第１延設片３２Ｂは、基部片３２Ａに対して鈍角を形成するように、第２延設片３２Ｃは基部片３２Ａに対して鋭角を形成するようにしてそれぞれ延設されている。すなわち支持体３２は基部片３２Ａに対して左右非対称のＴ字状に形成されている。そして、支持体側連結部３６は基部片３２Ａに対して第２延設片３２Ｃの側（図２中のθ方向）に屈曲した状態に形成されている。これらの構成を採用することにより、上顎側の前歯の裏面に第１延設片３２Ｂの側のメラミンスポンジ４０を、下顎側の前歯の裏面に第２延設片３２Ｃの側のメラミンスポンジ４０をそれぞれ当接させ易くすることができる。また、歯とメラミンスポンジ４０との当接面積を増やすことができる点において好都合である。
【００２５】
また、図２〜図４に示すようにメラミンスポンジ４０は、支持体３２（基部片３２Ａ、第１延設片３２Ｂ、第２延設片３２Ｃ）の幅寸法と同幅寸法の長方形板状に形成されている。また、本実施形態においては、メラミンスポンジ４０を支持体３２と共に挟持する挟持体３４は、支持体３２（基部片３２Ａ、第１延設片３２Ｂ、第２延設片３２Ｃ）の幅寸法よりも幅広な板状体に形成された第１挟持体３４Ａと第２挟持体３４Ｂとにより構成されている。
【００２６】
第１挟持体３４Ａは、支持体３２の基部片３２Ａの幅方向において基部片３２Ａよりも外側位置において所定間隔で起立する第１突条体３８Ａと、第１突条体３８Ａの起立位置に隣接する位置に穿設された第１突条体挿入部３９Ａとを有している。また、第２挟持体３４Ｂは、基部片３２Ａの幅方向において基部片３２Ａよりも外側位置において所定間隔で起立する第２突条体３８Ｂと、第２突条体３８Ｂの起立位置に隣接する位置に穿設された第２突条体挿入部３９Ｂとを有している。以上のように形成された第１挟持体３４Ａと第２挟持体３４Ｂは、第１突条体３８Ａが第１突条体３８Ａに対向する位置の第２突条体挿入部３９Ｂに挿入され、第２突条体３８Ｂが第２突条体３８Ｂに対向する位置の第１突条体挿入部３９Ａに挿入させて基部片３２Ａに取り付けられる。ここでは、第１突条体３８Ａおよび第１突条体挿入部３９Ａと、第２突条体３８Ｂおよび第２突条体挿入部３９Ｂをそれぞれ一直線上配列となるように配置しているが、いわゆる千鳥配置等の配列にすることもできる。
【００２７】
メラミンスポンジ４０は、図２および図３に示すように、長手方向における第１端部４０Ａを支持体３２の基部片３２Ａの第１面側（裏面）における端部のストッパ３２Ｅに突き当てるように配置する。そしてメラミンスポンジ４０に凸部３２Ｄを乗り越えさせた後、図４に示すように、Ｔ字状の支持体３２の外面に沿って基部片３２Ａ、第１延設片３２Ｂ、第２延設片３２Ｃを経由して基部片３２Ａの第２面側（表面）における凸部３２Ｄを乗り越えさせた後、ストッパ３２Ｅにメラミンスポンジ４０の第２端部４０Ｂを突き当てるようにして配置する。そして図４および図５に示すように、第１挟持体３４Ａおよび第２挟持体３４Ｂを基部片３２Ａに取り付けることにより、メラミンスポンジ４０の両端部４０Ａ，４０Ｂを支持体３２の基部片３２Ａの表裏面との間でそれぞれ挟み込んで固定させている。
【００２８】
このようにして支持体３２に固定されたメラミンスポンジ４０は、凸部３２Ｄをメラミンスポンジ４０の幅方向に沿って喰い込ませた状態である共に、ストッパ３２Ｅにより挟持体３４による挟持位置がずれないように位置決めされた状態になっている。このため、歯面の清掃中に歯面清掃具用アタッチメント３０から挟持体３４やメラミンスポンジ４０が脱落してしまうことはない。また、メラミンスポンジ４０を支持体３２の外面に沿って取り囲むようにして取り付けていることにより、第１延設片３２Ｂと第２延設片３２Ｃの外側部分（歯面との主な当接面である）におけるメラミンスポンジ４０を厚くすることができる。これにより歯面清掃によりメラミンスポンジ４０が摩耗してもメラミンスポンジ４０の交換サイクルを延ばすことができる点で好都合である。
【００２９】
さらに歯面清掃具１０の使用時においては、第１延設片３２Ｂを上側となるように配置したことで、清掃が難しい上顎側の前歯の裏面にメラミンスポンジ４０が届き易く、かつ、上顎側の前歯の裏面とメラミンスポンジ４０との当接面積を増やすこともできる。これらにより上顎側の前歯の裏面も確実かつ容易に清掃することができる点で、使い勝手が極めて良好である。また、歯面清掃具１０の使用後においては、ハンドル側連結部２２と支持体側連結部３６の連結を解除するだけで、歯面清掃具用アタッチメント３０を簡単に交換することができ、複数人での歯面清掃具１０の衛生的な使用も可能になる点で経済的である。
【００３０】
以上に本実施形態における歯面清掃具１０について説明したが、本発明の技術的範囲は本実施形態に限定されるものではない。例えば、以上の実施形態においては、メラミンスポンジ４０の厚さ寸法がメラミンスポンジ４０の長手方向で一定であるが、歯面と当接する部分（第１延設片３２Ｂ，第２延設片３２Ｃの部分）の厚さを他の部分よりも厚くしたメラミンスポンジ４０を採用することもできる。また、軟質材製払拭片としてはメラミンスポンジに限定されるものではなく、シリコーンゴム等の合成樹脂製プレート体やフェルト等の圧縮繊維体製プレート体等に代表される他の公知の製品を用いることも可能である。
【００３１】
また、以上の実施形態においては、支持体３２の第１延設片３２Ｂが第２延設片３２Ｃよりも長く形成されている形態について説明したが、第１延設片３２Ｂと第２延設片３２Ｃの長さを等しくした支持体３２の形態を採用することもできる。さらに、以上の実施形態においては、基部片３２Ａに対して第１延設片３２Ｂが鈍角の方向に延設され、基部片３２Ａに対して第２延設片３２Ｃが鋭角の方向に延設されているが、基部片３２Ａに対して第１延設片３２Ｂおよび第２延設片３２Ｃをそれぞれ直角方向に延設させるようにすることもできる。
【００３２】
また、以上の実施形態においては、第１挟持体３４Ａと第１挟持体３４Ａとは別体の第２挟持体３４Ｂとにより挟持体３４を構成する形態について説明したが、第１挟持体３４Ａと第２挟持体３４Ｂを図示しない連結体により二枚貝状に連結した形態を採用することもできる。また、支持体３２の基部片３２Ａに形成した凸部３２Ｄに対向する第１挟持体３４Ａおよび第２挟持体３４Ｂの部分に図示しない凹部を形成した形態を採用することもできる。これにより凸部３２Ｄを乗り越えたメラミンスポンジ４０を凹部に逃がすことができ、挟持体３４によるメラミンスポンジ４０の挟持が容易になる点において好都合である。また、凸部３２Ｄが形成されていない基部片３２Ａの形態を採用することもできる。
【００３３】
また、以上の実施形態においては、支持体側連結部３６が基部片３２Ａに対して第２延設片３２Ｃの側に屈曲させた形態を示しているが、支持体側連結部３６を基部片３２Ａの延長方向に設けた形態を採用することもできる。
【００３４】
さらには、以上の実施形態における構成に対し、明細書中に記載されている変形例や、他の公知の構成を適宜組み合わせた形態を採用することもできる。
【符号の説明】
【００３５】
１０  歯面清掃具，
２０  ハンドル，
２２  ハンドル側連結部，
３０  歯面清掃具用アタッチメント，
３２  支持体，
３２Ａ  基部片，３２Ｂ  第１延設片，３２Ｃ  第２延設片，
３２Ｄ  凸部，３２Ｅ  ストッパ，
３４  挟持体，
３４Ａ  第１挟持体，３４Ｂ  第２挟持体，
３６  支持体側連結部，
３８Ａ  第１突条体，３８Ｂ  第２突条体，
３９Ａ  第１突条体挿入部，３９Ｂ  第２突条体挿入部，
４０  メラミンスポンジ，
４０Ａ  第１端部，４０Ｂ  第２端部
Ｍ  振動モータ，
ＡＸ  出力軸，
Ｂ  バッテリ
【図１】
2019187527.tif 000003
【図２】
2019187527.tif 000004
【図３】
2019187527.tif 000005
【図４】
2019187527.tif 000006
【図５】
2019187527.tif 000007